(57)【要約】      （修正有）【課題】台形断面を有していても平坦に折り畳むことができる包装箱を提供する。【解決手段】包装箱は、一対の平板１０、１１と一対の側板１２、１３とが段方向に交互に並設されると共に第１折曲線Ｌ１を介して連設されている。第２の平板は、第１の平板よりも段方向に所定寸法Ｈだけ長く形成され、第２の平板には、段方向の一端から所定寸法Ｈの半分の位置に第１折曲線と平行となる折畳線Ｌ５が形成されている。一対の側板が、第１の平板から第２の平板に向かって互いに離れるように傾斜した姿勢で架設されることで、第１の平板と第２の平板が収容空間を挟んで対向した使用形態になり、第２の平板の段方向の一側が折畳線に沿って折り返されることで、一対の側板が押し倒された姿勢となり、一対の平板が重なり合った折畳形態になる。【選択図】図４
0003232589.tif 000002
【実用新案登録請求の範囲】
【請求項１】
一対の平板（１０，１１）と一対の側板（１２，１３）とが第１方向に交互に並設されると共に折曲線（Ｌ１）を介して連設された包装箱（１）であって、
一対の前記平板は、
第１の平板（１０）と、
前記第１の平板よりも第１方向に所定寸法（Ｈ）だけ長く形成された第２の平板（１１）と、を有し、
前記第２の平板には、第１方向の一端または他端から前記所定寸法の半分の位置に前記折曲線と平行となる折畳線（Ｌ５）が形成され、
一対の前記側板が、一対の前記平板に対して前記折曲線で折り曲げられ、前記第１の平板の第１方向の両端から前記第２の平板の第１方向の両端に向かって互いに離れるように傾斜した姿勢で架設されることで、前記第１の平板と前記第２の平板が物品（Ｍ）の収容空間（Ｓ）を挟んで対向した使用形態（Ｆ１）になり、
前記第２の平板の第１方向の一側または他側が前記折畳線に沿って折り返されることで、一対の前記側板が押し倒された姿勢となり、一対の前記平板が重なり合った折畳形態（Ｆ２）になることを特徴とする包装箱。
【請求項２】
前記使用形態において、一対の前記側板が上下方向に向けられ、前記第２の平板は別体となる商品ケース（９０）の側面（９４Ａ）に取り付けられ、
前記第１の平板と少なくとも上方の前記側板との表面が情報を提示するための提示面となることを特徴とする請求項１に記載の包装箱。
【請求項３】
前記第１の平板の第１方向に直交する第２方向の両端に連設され、前記収容空間の第２方向の両端面を閉塞する一対の端板（２０，２１）と、
一対の前記端板の第２方向の先端に連設され、前記第２の平板の表面に積層される一対の積層片（２２，２３）と、
一対の前記積層片の第２方向の先端に連設され、前記第２の平板に穿設された一対の差込穴（１５，１６）に差し込まれて前記第２の平板の裏面に沿う姿勢となる一対の差込片（２４，２５）と、を更に備えていることを特徴とする請求項１または２に記載の包装箱。
【請求項４】
第２方向の一方の前記差込片は、前記差込穴に差し込まれ、第２方向の他方から前記収容空間に挿入された前記物品に押されて第２方向の一方に折り返され、前記第２の平板と前記物品との間に挟まれることを特徴とする請求項３に記載の包装箱。
【請求項５】
前記第２の平板には、第２方向の一方の前記差込穴から第２方向の外側に向かって開封線（１７）が延設され、
第２方向の一方の前記差込片が前記第２の平板と前記物品との間に挟まれた状態で、第２方向の一方の前記積層片を引き起こすと、前記第２の平板の一部が前記開封線に沿って切断されることを特徴とする請求項４に記載の包装箱。
【請求項６】
一対の前記端板の少なくとも一方には、前記収容空間に収容された前記物品の一部を露出させる窓部（Ｗ）が穿設されていることを特徴とする請求項３ないし５のいずれか１項に記載の包装箱。
【請求項７】
請求項１ないし６のいずれか１項に記載の包装箱を形成することを特徴とするブランク。
【請求項８】
請求項３ないし６のいずれか１項に記載の包装箱を形成するブランク（１Ａ）であって、
一方の前記側板、前記第１の平板、他方の前記側板、前記第２の平板は、この順に第１方向の一方から他方に向かって並設され、
前記第２の平板の第１方向の他端には、一方の前記側板に固定される継代片（１４）が連設され、
各々の前記端板の第１方向の一端は、前記折曲線と平行となる直線辺（Ｅ１）であり、
各々の前記端板の第１方向の他端は、前記使用形態とされた状態で近接する前記側板に沿うように傾斜した傾斜辺（Ｅ２）であり、
前記第２の平板の第２方向の両端には、前記収容空間の第２方向の両端面を閉塞した一対の前記端板の前記直線辺に係合し、一対の前記端板を位置決めする一対の位置決め凸部（１８）が突設されていることを特徴とするブランク。
【考案の詳細な説明】
【技術分野】
【０００１】
本考案は、包装箱およびブランクに関する。
【背景技術】
【０００２】
上面形成板の両端から一対の短辺・側面板が傾斜し、側方から見て台形状を成す四角柱状の景品箱が知られている（特許文献１）。景品箱は、底面板に対して一対の長辺・側面板と一対の短辺・側面板とを立設させ、一対の短辺・側面板の上端に連設された一対の上面形成板を折り重ね、内側の上面形成板に形成されたスリットに、外側の上面形成板の先端に設けられた差し込み片を差し込んで完成する。一対の短辺・側面板を傾斜させることで、コーナーカットカートン製品箱の端部に景品箱を取り付けた際の見栄えが良くなると共に、上面形成板および短辺・側面板に表示された広告等の情報を目視し易くなる。
【先行技術文献】
【特許文献】
【０００３】
【特許文献１】実用新案登録第３１５８６５４号公報
【考案の概要】
【考案が解決しようとする課題】
【０００４】
しかしながら、上記した景品箱は展開された状態で提供され、景品は展開された景品箱を組み立てる前または組み立てる途中で挿入されるため、景品の包装作業に多くの時間とコストがかかるという問題があった。このような問題に対し、例えば、一対の上面形成板を接着し、予め台形断面を有する角筒を形成し、その角筒に景品を挿入するようにすれば、包装作業にかかる時間とコストを低減することが可能となる。
【０００５】
ところで、このような景品箱は大量に流通させることが多く、輸送効率（輸送コスト）を考慮すると、景品箱を折り畳んで平坦にし、体積を減らすことが好ましい。しかしながら、台形断面を有する角筒を形成した景品箱は、幾何学的に平坦に折り畳むことができず、嵩張るため輸送コストが増加するという別の問題を生じさせていた。
【０００６】
本考案は、上記事情を考慮し、台形断面を有していても平坦に折り畳むことができる包装箱およびブランクを提供する。
【課題を解決するための手段】
【０００７】
本考案は、一対の平板と一対の側板とが第１方向に交互に並設されると共に折曲線を介して連設された包装箱であって、一対の前記平板は、第１の平板と、前記第１の平板よりも第１方向に所定寸法（Ｈ）だけ長く形成された第２の平板と、を有し、前記第２の平板には、第１方向の一端または他端から前記所定寸法の半分の位置に前記折曲線と平行となる折畳線が形成され、一対の前記側板が、一対の前記平板に対して前記折曲線で折り曲げられ、前記第１の平板の第１方向の両端から前記第２の平板の第１方向の両端に向かって互いに離れるように傾斜した姿勢で架設されることで、前記第１の平板と前記第２の平板が物品の収容空間を挟んで対向した使用形態になり、前記第２の平板の第１方向の一側または他側が前記折畳線に沿って折り返されることで、一対の前記側板が押し倒された姿勢となり、一対の前記平板が重なり合った折畳形態になる。
【０００８】
この場合、前記使用形態において、一対の前記側板が上下方向に向けられ、前記第２の平板は別体となる商品ケースの側面に取り付けられ、前記第１の平板と少なくとも上方の前記側板との表面が情報を提示するための提示面としてもよい。
【０００９】
この場合、前記第１の平板の第１方向に直交する第２方向の両端に連設され、前記収容空間の第２方向の両端面を閉塞する一対の端板と、一対の前記端板の第２方向の先端に連設され、前記第２の平板の表面に積層される一対の積層片と、一対の前記積層片の第２方向の先端に連設され、前記第２の平板に穿設された一対の差込穴に差し込まれて前記第２の平板の裏面に沿う姿勢となる一対の差込片と、を更に備えてもよい。
【００１０】
この場合、第２方向の一方の前記差込片は、前記差込穴に差し込まれ、第２方向の他方から前記収容空間に挿入された前記物品に押されて第２方向の一方に折り返され、前記第２の平板と前記物品との間に挟まれてもよい。
【００１１】
この場合、前記第２の平板には、第２方向の一方の前記差込穴から第２方向の外側に向かって開封線が延設され、第２方向の一方の前記差込片が前記第２の平板と前記物品との間に挟まれた状態で、第２方向の一方の前記積層片を引き起こすと、前記第２の平板の一部が前記開封線に沿って切断されてもよい。
【００１２】
この場合、一対の前記端板の少なくとも一方には、前記収容空間に収容された前記物品の一部を露出させる窓部が穿設されてもよい。
【００１３】
本考案のブランクは、上記のいずれかに記載の包装箱を形成する。
【００１４】
本考案は、請求項３ないし６のいずれか１項に記載の包装箱を形成するブランクであって、一方の前記側板、前記第１の平板、他方の前記側板、前記第２の平板は、この順に第１方向の一方から他方に向かって並設され、前記第２の平板の第１方向の他端には、一方の前記側板に固定される継代片が連設され、各々の前記端板の第１方向の一端は、前記折曲線と平行となる直線辺であり、各々の前記端板の第１方向の他端は、前記使用形態とされた状態で近接する前記側板に沿うように傾斜した傾斜辺であり、前記第２の平板の第２方向の両端には、前記収容空間の第２方向の両端面を閉塞した一対の前記端板の前記直線辺に係合し、一対の前記端板を位置決めする一対の位置決め凸部が突設されている。
【考案の効果】
【００１５】
本考案によれば、包装箱が台形断面を有していても平坦に折り畳むことができる。
【図面の簡単な説明】
【００１６】
【図１】本考案の一実施形態に係る包装箱を使用する状態を示す斜視図である。
【図２】本考案の一実施形態に係る包装箱を示す斜視図である。
【図３Ａ】本考案の一実施形態に係る包装箱を示す左側面図である。
【図３Ｂ】本考案の一実施形態に係る包装箱を示す右側面図である。
【図４】本考案の一実施形態に係る包装箱のブランクを示す平面図である。
【図５】本考案の一実施形態に係る包装箱（折畳形態）の正面側を示す斜視図である。
【図６】本考案の一実施形態に係る包装箱（折畳形態）の背面側を示す斜視図である。
【図７】本考案の一実施形態に係る包装箱（使用形態）に物品を挿入する過程を示す斜視図である。
【図８Ａ】本考案の一実施形態に係る包装箱（使用形態）に物品を挿入する過程を説明する断面図である。
【図８Ｂ】本考案の一実施形態に係る包装箱（使用形態）に物品を挿入した状態を説明する断面図である。
【図９】本考案の一実施形態に係る包装箱（使用形態）の背面側を示す斜視図である。
【図１０】本考案の一実施形態に係る包装箱（使用形態）を示す断面図である。
【考案を実施するための形態】
【００１７】
以下、添付の図面を参照しつつ、本考案の実施形態について説明する。なお、図面に示すＦｒ、Ｒｒ、Ｌ、Ｒ、Ｕ、Ｄは、前、後、左、右、上、下を示している。前後方向、左右方向（第２方向）および上下方向（第１方向）は互いに直交している。本明細書では方向や位置を示す用語を用いるが、それらの用語は説明の便宜のために用いるものであって、本考案の技術的範囲を限定するものではない。また、方向や位置を示す用語は、包装箱を使用する状態での方向や位置を基準にしている。
【００１８】
図１、図２、図３Ａおよび図３Ｂを参照して、包装箱１および商品ケース９０について説明する。図１は包装箱１を使用する状態を示す斜視図である。図２は包装箱１を示す斜視図である。図３Ａは包装箱１を示す左側面図であり、図３Ｂは包装箱１を示す右側面図である。
【００１９】
包装箱１は、別体となる商品ケース９０の側面９４Ａに取り付けられる（図１参照）。包装箱１が取り付けられた商品ケース９０は、複数積み重ねられて店頭等に展示される。包装箱１は、台形断面を有する角柱状（角筒状）を成す使用形態Ｆ１とされ、内部に物品Ｍを収容可能に形成されている（図２、図３Ａおよび図３Ｂ参照）。包装箱１の表面には、例えば、物品Ｍや商品ケース９０に収容された商品（図示せず）の説明や広告等の情報が表示されている。なお、包装箱１に収容される物品Ｍは、例えば、略直方体状に形成され、商品ケース９０に添えて贈られる景品である。
【００２０】
［商品ケース］
まず、図１を参照して、商品ケース９０について簡単に説明する。商品ケース９０は、配列させた複数の商品（例えば飲料缶等）を包むように包装する所謂ラップアラウンド形式の箱である。商品ケース９０は、一対の平面壁９１と一対の側面壁９２とを交互に連設させて角筒状を成している。一対の側面壁９２の両端には二対の内フラップ９３が連設され、一対の平面壁９１の両端には二対の外フラップ９４が連設されている。内フラップ９３が折り曲げられ、外フラップ９４が内フラップ９３に重なるように折り曲げられて接着される。商品ケース９０は一対の平面壁９１を上下方向に向けた姿勢とされ、上下一対の外フラップ９４は先端を突き合せ突き合わせて側面９４Ａを形成する。
【００２１】
［包装箱のブランク］
次に、図４を参照して、包装箱１のブランク１Ａについて説明する。図４は包装箱１のブランク１Ａを示す平面図である。
【００２２】
包装箱１は、ブランク１Ａを組み立てることで形成される。ブランク１Ａは、１枚の紙製の段ボールシートを抜型等で打ち抜いて形成されている。段ボールシートは、例えば、波状の中しん９Ａに表ライナ９Ｂと裏ライナ９Ｃ（図６も参照）とを貼り合せた両面段ボールシートである。なお、図２は、表ライナ９Ｂ側を示している。本明細書では、段ボールシートの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。
【００２３】
ブランク１Ａは、第１の平板１０と、第２の平板１１と、一対の側板１２，１３と、継代片１４と、一対の端板２０，２１と、一対の積層片２２，２３と、一対の差込片２４，２５と、二対の内片２６，２７と、を備えている。なお、本明細書では、説明の便宜上、第１の平板１０と第２の平板１１とで共通する説明では、「（一対の）平板１０，１１」と呼ぶ。
【００２４】
＜平板、側板、継代片＞
一方の側板１２、第１の平板１０、他方の側板１３、第２の平板１１および継代片１４は、この順に段方向（第１方向）の一方から他方に向かって並設されている。一対の平板１０，１１と一対の側板１２，１３とは、段方向に交互に並設され、第１折曲線Ｌ１を介して連設されている。各々の平板１０，１１は、流れ方向（第２方向）を長辺とする略長方形状に形成されている。各々の側板１２，１３は、平板１０，１１よりも段方向に短く、流れ方向に細長い略長方形状に形成されている。一対の側板１２，１３は、段方向に略同一寸法に形成されている。継代片１４は、第１折曲線Ｌ１を介して第２の平板１１の他端に連設され、第２の平板１１から段方向に離れるに従って流れ方向に幅狭くなる略台形状に形成されている。詳細は後述するが、継代片１４は一方の側板１２に固定される。
【００２５】
第１の平板１０と一対の側板１２，１３との表面（表ライナ９Ｂ）は、情報を提示するための提示面（図示せず）となっている。提示面には、物品Ｍ（商品）の説明や広告等の情報が印刷されている。なお、提示面に広告等の情報を印刷することに限らず、例えば、ＰＯＰ広告等の情報が提示面に貼付されたり、書き込まれたりしてもよい（図示せず）。
【００２６】
＜第２の平板の詳細＞
第２の平板１１の段方向の寸法は、商品ケース９０の側面９４Ａの高さと同一または僅かに小さくなっている。また、第２の平板１１は、第１の平板１０よりも段方向に所定寸法Ｈだけ長く形成されている。所定寸法Ｈとは、第１の平板１０の段方向の寸法ｈ１と第２の平板１１の段方向の寸法ｈ２との差分（Ｈ＝ｈ２−ｈ１）である。使用形態Ｆ１とされた包装箱１を側面から見ると（図３Ａおよび図３Ｂ参照）、第２の平板１１は第１の平板１０に対向して設けられ、第１の平板１０は台形の上底を構成し、第２の平板１１は台形の下底を構成し、一対の側板１２，１３は台形の脚（傾斜した辺）を構成する。なお、所定寸法Ｈは、使用形態Ｆ１とされた包装箱１を側面から見たときに台形状になる程度の差分であればよく、自由に変更することができる。
【００２７】
（折畳線）
第２の平板１１には、段方向の一端から所定寸法Ｈの半分の位置に第１折曲線Ｌ１と平行となる折畳線Ｌ５が形成されている。つまり、折畳線Ｌ５は、一対の平板１０，１１の段方向の寸法の差分を半分にする位置に形成されている。なお、所定寸法Ｈ（差分）の「半分」とは、厳密に所定寸法Ｈ（差分）の半分であることを要求する意味ではなく、例えば、数ｍｍ程度の僅かな誤差を許容する意味である。
【００２８】
（差込穴）
第２の平板１１の流れ方向の両側には、一対の差込穴１５，１６が穿設されている。一対の差込穴１５，１６は、第２の平板１１の流れ方向の両端から内側に入った位置に形成されている。各々の差込穴１５，１６は、流れ方向の外側から内側に向かって段方向に幅広くなる略台形状に形成されている。流れ方向の一方（左方）の差込穴１５には、流れ方向の中央に向かって膨らむように略半円形状の指掛け穴１５Ａが穿設されている。流れ方向の他方（右方）の差込穴１６には、流れ方向の中央に向かって凹むように略半円形状の凹部１６Ａが形成されている。凹部１６Ａは、指掛け穴１５Ａよりも十分に小さく形成されている。
【００２９】
（開封線）
第２の平板１１には、流れ方向の一方の差込穴１５から流れ方向の外側に向かって一対の開封線１７が延設されている。一対の開封線１７は、間隔をあけて複数の切目を入れたミシン目線であり、差込穴１５の両端部から流れ方向と平行に形成されている。一対の開封線１７は、その間に挟まれた第２の平板１１の一部を切断（分断）するために形成されている。なお、開封線１７は、ミシン目線に限らず、ジッパーや半切線等、段ボールシートを切断可能な線であれば如何なるものでもよい。
【００３０】
（位置決め凸部）
第２の平板１１の流れ方向の両端には、一対の位置決め凸部１８が突設されている。一対の位置決め凸部１８は、略台形状の突起であり、継代片１４に近接する位置に設けられている。
【００３１】
（掛合片）
第２の平板１１の中央領域には、流れ方向に延びる掛合折線Ｌ６の両端を結ぶように略Ｕ字状（コ字状）の切目線１９Ａが切り込まれ、掛合折線Ｌ６と切目線１９Ａとで囲まれた範囲に掛合片１９が区画されている。掛合片１９は、略四角形状に形成され、掛合折線Ｌ６を介して第２の平板１１に連設されている。掛合片１９の１つの角部は斜めに隅切りされ、略三角形状の指入れ穴１９Ｂが開口している。なお、指入れ穴１９Ｂは省略されてもよい。
【００３２】
＜端板＞
一対の端板２０，２１は、第２折曲線Ｌ２を介して第１の平板１０の流れ方向の両端に連設されている。一対の端板２０，２１は、使用形態Ｆ１とされた包装箱１の左右両側面を構成する（図３Ａおよび図３Ｂ参照）。各々の端板２０，２１は、第１の平板１０から流れ方向に離れるに従って段方向に幅広くなる変則的な台形状に形成されている。詳細には、各々の端板２０，２１の段方向の一端（図４で下端）は、第１折曲線Ｌ１と平行となる直線辺Ｅ１となっている。各々の端板２０，２１の段方向の他端（図４で上端）は、使用形態Ｆ１とされた状態で近接する側板１３に沿うように傾斜した傾斜辺Ｅ２となっている（図３Ａおよび図３Ｂも参照）。各々の端板２０，２１の先端の段方向の寸法は、第２の平板１１の段方向の他端（図４の上端）から折畳線Ｌ５までの長さと略同一である。
【００３３】
＜積層片＞
一対の積層片２２，２３は、第３折曲線Ｌ３を介して一対の端板２０，２１の流れ方向の先端に連設されている。各々の積層片２２，２３は、第２の平板１１の端から差込穴１５，１６までの間に架設可能な略四角形状に形成されている。
【００３４】
なお、流れ方向の他方（右方）の端板２１には、第３折曲線Ｌ３に沿って窓部Ｗが穿設されている。正確には、窓部Ｗは、僅かに第３折曲線Ｌ３を越えて積層片２３にも開口している。窓部Ｗは、包装箱１の収容空間Ｓに収容された物品Ｍの一部を露出させるために形成されている（図２も参照）。
【００３５】
＜差込片＞
一対の差込片２４，２５は、一対の積層片２２，２３の先端に連設されている。詳細には、一対の差込片２４，２５は、一対の積層片２２，２３の最先端から基端側に食い込んだ位置で連設されている。各々の差込片２４，２５は、先端を円弧状に湾曲させた略扇状に形成されている。流れ方向の一方（左方）の差込片２４は折返し線Ｌ７を介して積層片２２に連設され、流れ方向の他方（右方）の差込片２５は山折り線Ｌ８を介して積層片２３に連設されている。
【００３６】
＜内片＞
二対の内片２６，２７は、第４折曲線Ｌ４を介して一対の側板１２，１３の流れ方向の両端に連設されている。各々の内片２６，２７は、側板１２，１３から流れ方向に離れるに従って段方向に幅狭くなる略台形状に形成されている。詳細には、段方向の一方（図４で下方）に位置する各々の内片２６は、端板２０，２１の直線辺Ｅ１と平行な脚を有する変則的な台形状に形成されている。段方向の他方（図４で上方）に位置する各々の内片２７は、端板２０，２１の傾斜辺Ｅ２と平行な脚を有する略台形状に形成されている。
【００３７】
なお、第１折曲線Ｌ１（継代片１４の境界を除く。）、一方（左方）の第２折曲線Ｌ２、第３折曲線Ｌ３、第４折曲線Ｌ４、掛合折線Ｌ６および山折り線Ｌ８は、それぞれ、段ボールシートを裏ライナ９Ｃ側から厚み方向に潰した汎用罫線である。なお、積層片２３の境界である第３折曲線Ｌ３には切目が入れてある。また、継代片１４の境界である第１折曲線Ｌ１、他方（右方）の第２折曲線Ｌ２、折畳線Ｌ５および折返し線Ｌ７は、それぞれ、汎用罫線上に複数の切目を入れたリード罫である。汎用罫線およびリード罫は、裏ライナ９Ｃを内側に向けるように段ボールシートを折り曲げる（正折りする）機能を有している。上記した折曲線等は、汎用罫線やリード罫に限らず、例えば、ミシン目等、段ボールシートを所望の向きに折り曲げるための構造であれば如何なるものでもよい。
【００３８】
［包装箱の製造］
次に、図５および図６を参照して、包装箱１の製造工程について簡単に説明する。図５は包装箱１（折畳形態Ｆ２）の正面側を示す斜視図である。図６は包装箱１（折畳形態Ｆ２）の背面側を示す斜視図である。
【００３９】
この包装箱１は、自動製函機（図示せず）によって大量生産される。自動製函機には複数のブランク１Ａがセットされており、自動製函機はブランク１Ａを適所で折り曲げたり接着したりすることで包装箱１を製造する。なお、自動製函機には、ブランク１Ａの各部を引っ掛けて適所で折り曲げるためアーム（図示せず）を備えている。
【００４０】
自動製函機は、第２の平板１１を折畳線Ｌ５に沿って折り返し、継代片１４の表ライナ９Ｂ（または一方の側板１２の裏ライナ９Ｃ）に接着剤を塗布する。また、自動製函機は、一方の側板１２を第１折曲線Ｌ１で折り返して継代片１４に接着する。
【００４１】
ここで、上記したように折畳線Ｌ５は第２の平板１１の段方向の一端から所定寸法Ｈの半分ずれた位置に形成されているため、第２の平板１１を折畳線Ｌ５で折り返すと、第１の平板１０は所定寸法Ｈの半分だけ長くなり、第２の平板１１は所定寸法Ｈの半分だけ短くなる。すなわち、一対の平板１０，１１の段方向の寸法の差分（所定寸法Ｈ）が、一対の平板１０，１１に均等に割り振られる。折畳線Ｌ５で折り返された部分を除いた第２の平板１１と一方の側板１２とを合わせた段方向の長さは、折畳線Ｌ５で折り返された部分と他方の側板１３と第１の平板１０とを合わせた段方向の長さは略同一となる。したがって、第２の平板１１の段方向の一側が折畳線Ｌ５に沿って折り返されることで、一対の側板１２，１３が押し倒された姿勢となり、一対の平板１０，１１が重なり合った折畳形態Ｆ２になる。
【００４２】
以上によって、平坦に折り畳まれた包装箱１が完成する。
【００４３】
ここで、仮に、端板２０，２１の段方向（第１方向）の一端が、直線辺Ｅ１ではなく、傾斜辺Ｅ２と同様に傾斜している場合、一方の側板１２を折り返すと、端板２０，２１の一端部（仮に傾斜させた部分）が相対的に段方向の一方へ突き出すことになる。このため、自動製函機のアームが一方の側板１２を折り返す際、相対的に突き出した端板２０，２１に干渉し、一方の側板１２を適正に折り返すことができないことがある。その点、本実施形態に係る包装箱１のブランク１Ａでは、各々の端板２０，２１の段方向の一端が直線辺Ｅ１とされているため、一方の側板１２を折り返しても、端板２０，２１の一端部が相対的に突き出すことがない（図５および図６参照）。これにより、自動製函機によって一方の側板１２を適正に折り返すことができる。その結果、自動製函機を用いて包装箱１を大量生産することができる。
【００４４】
［包装箱の組立］
次に、図２、図３Ａ、図３Ｂ、図７ないし図１０を参照して、包装箱１の組立作業について説明する。図７は包装箱１に物品Ｍを挿入する過程を示す斜視図である。図８Ａは包装箱１に物品Ｍを挿入する過程を説明する断面図である。図８Ｂは包装箱１に物品Ｍを挿入した状態を説明する断面図である。図９は包装箱１（使用形態Ｆ１）の背面側を示す斜視図である。図１０は包装箱１（使用形態Ｆ１）を示す断面図である。
【００４５】
包装箱１は、例えば、作業者によって手作業で組み立てられる。作業者は、折畳形態Ｆ２とされた包装箱１を使用形態Ｆ１にする。具体的には、作業者は、折畳形態Ｆ２とされた包装箱１の一対の側板１２，１３を引き起こす（図２および図７参照）。すると、一対の側板１２，１３が、一対の平板１０，１１に対して第１折曲線Ｌ１で折り曲げられ、第１の平板１０の段方向の両端から第２の平板１１の段方向の両端に向かって互いに離れるように傾斜した姿勢で架設（立設）される。また、折畳線Ｌ５で折り返されていた第２の平板１１の段方向の一側が、第２の平板１１の他の部分と同一平面を成すように戻される（図７参照）。一対の側板１２，１３が傾斜姿勢で立設することで、第１の平板１０と第２の平板１１が物品Ｍの収容空間Ｓを挟んで対向した使用形態Ｆ１になる。
【００４６】
次に、作業者は、左方の内片２６，２７を第４折曲線Ｌ４に沿って正折りし、収容空間Ｓの左端面の一部を閉じる（図３Ａ参照）。続いて、図７および図８Ａに示すように、作業者は、端板２０を第２折曲線Ｌ２に沿って正折りし、積層片２２を第３折曲線Ｌ３に沿って正折りし、差込片２４を折返し線Ｌ７に沿って正折りしながら差込穴１５に差し込む。端板２０は、直線辺Ｅ１を第２の平板１１の位置決め凸部１８に係合させ、位置決めされながら収容空間Ｓの左端面を閉塞する（図３Ａ参照）。積層片２２は、第２の平板１１の左側の表面に積層される（図７参照）。詳細には、積層片２２は、折畳線Ｌ５を跨ぐようにして第２の平板１１に重なる。端板２０が位置決め凸部１８で位置決めされ、積層片２２が折畳線Ｌ５を押さえているため、一対の平板１０，１１と一対の側板１２，１３とは台形断面に保持される。なお、端板２０は内片２６の先端側に重なり、内片２６の基端側は露出している（図３Ａ参照）。
【００４７】
次に、作業者は、物品Ｍを収容空間Ｓの右端面（開口面）から収容空間Ｓの内部に挿入する（図７および図８Ａ参照）。物品Ｍの挿入が進むと、図８Ｂに示すように、差込穴１５に差し込まれた左方（第２方向の一方）の差込片２４は、右方（第２方向の他方）から収容空間Ｓに挿入された物品Ｍに押されて左方に折り返される。収容空間Ｓへの物品Ｍの挿入が完了すると、差込片２４は、第２の平板１１の裏面に沿う姿勢となって、第２の平板１１と物品Ｍとの間に挟まれ、差込穴１５から引き抜き不能となる。
【００４８】
次に、作業者は、右方の内片２６，２７を第４折曲線Ｌ４に沿って正折りし（図３Ｂ参照）、端板２１を第２折曲線Ｌ２に沿って正折りし、積層片２３を第３折曲線Ｌ３に沿って正折りし、差込片２５を山折り線Ｌ８に沿って正折りする（図９および図１０参照）。端板２１は、直線辺Ｅ１を位置決め凸部１８に係合させ、位置決めされながら収容空間Ｓの右端面を閉塞する（図３Ｂ参照）。積層片２３は、折畳線Ｌ５を跨ぐようにして第２の平板１１の右側の表面に積層される。山折り線Ｌ８で折られた差込片２５は、積層片２３と同一平面を成すように戻されながら差込穴１６に差し込まれる。差込片２５は、第２の平板１１の裏面に沿う姿勢となって第２の平板１１と物品Ｍとの間に挿入される（図１０参照）。なお、端板２１は内片２６の先端側に重なり、内片２６の基端側は露出している（図３Ｂ参照）。
【００４９】
以上によって、台形断面を有する角柱状（角筒状）を成す包装箱１が完成する（図２も参照）。なお、物品Ｍの右端面には、例えば、バーコード、製造番号、賞味期限等、物品Ｍの情報が表示されており、これらの情報は端板２１の窓部Ｗから露出している。
【００５０】
［包装箱の取付］
次に、作業者は、物品Ｍを収容した包装箱１を商品ケース９０の側面９４Ａに取り付ける。
【００５１】
図１に示すように、使用形態Ｆ１とされた包装箱１は、一対の側板１２，１３を上下方向に向けられ、第２の平板１１を商品ケース９０の側面９４Ａに取り付けられる。詳細には、第１の平板１０が正面とされ、一方の側板１２が底面とされ、他方の側板１３が天面とされる。作業者は、第２の平板１１の掛合片１９を切目線１９Ａに沿って切断しながら掛合折線Ｌ６で外側に折り曲げる（図９参照）。作業者は、掛合片１９の先端部を商品ケース９０の一対の外フラップ９４の突き合せ部分の隙間に差し込み、掛合片１９を下方の外フラップ９４に引っ掛ける。これにより、包装箱１が商品ケース９０の側面９４Ａに仮に固定される。
【００５２】
次に、作業者は、包装箱１を上下方向に横断するように商品ケース９０の上下一対の平面壁９１に渡って透明な粘着テープ（図示せず）を貼り付ける。これにより、包装箱１が商品ケース９０の側面９４Ａに固定される。この状態で、一対の側板１２，１３は側面９４Ａから前方に向かって互いに接近するように傾斜している。
【００５３】
なお、商品ケース９０（商品）の購入者は、包装箱１を商品ケース９０から分離し、包装箱１から容易に物品Ｍを取り出すことができる。具体的には、購入者は、第２の平板１１の指掛け穴１５Ａに露出した差込片２４の折り目（折返し線Ｌ７）に指を掛ける（図９参照）。左方の差込片２４が第２の平板１１と物品Ｍとの間に挟まれた状態で、購入者が左方の積層片２２を引き起こすと、第２の平板１１の一部が一対の開封線１７（図４および図６参照）に沿って切断される。これにより、端板２０が開かれ、収容空間Ｓの左端面が開口し、購入者は物品Ｍを引き出すことができる。
【００５４】
以上説明した本実施形態に係る包装箱１は、使用形態Ｆ１で台形断面を有していた。また、第２の平板１１において、折畳線Ｌ５が一対の平板１０，１１の段方向の寸法の差分を均等に割り振る位置に形成されていた。この構成によれば、折畳形態Ｆ２とした際に、折畳線Ｌ５で折り返された第２の平板１１の一部によって、第１の平板１０の幅方向（第１方向）の長さの不足分を補うことができる。これにより、使用形態Ｆ１とされた包装箱１が台形断面を有していても平坦に折り畳むことができる（図５および図６参照）。
【００５５】
また、本実施形態に係る包装箱１では、第１の平板１０と一対の側板１２，１３の表面に広告等の情報を提示（表示）する提示面が設けられていた。また、包装箱１が商品ケース９０の側面９４Ａに固定された状態で、第１の平板１０は正面を構成し、一対の側板１２，１３は前方に向かって互いに接近するように傾斜していた（図１参照）。この構成によれば、顧客は提示面に提示された広告等の情報を包装箱１の正面から目視することができる。これにより、顧客への情報提示の実効性を高めることができ、高い訴求効果を期待することができる。
【００５６】
また、本実施形態に係る包装箱１では、差込穴１５，１６に差し込まれた差込片２４，２５が第２の平板１１の裏面に沿う姿勢とされていた（図１０参照）。この構成によれば、差込片２４，２５の先端部が物品Ｍに干渉して物品Ｍを傷つけることを抑制することができる。また、差込片２４，２５が第２の平板１１に面接触することで容易に引き抜けなくなり、端板２０，２１によって収容空間Ｓを閉塞した状態を保持することができる。
【００５７】
また、本実施形態に係る包装箱１では、収容空間Ｓへの物品Ｍの挿入に伴って差込片２４が折り返され、第２の平板１１と物品Ｍとに挟持される構成とした（図８Ｂ参照）。この構成によれば、収容空間Ｓに収容された物品Ｍによって差込片２４を引き抜き不能にすることができる。これにより、物品Ｍの挿入（包装）と差込片２４のロックとを同時期に行うことができる。
【００５８】
また、本実施形態に係る包装箱１によれば、積層片２２を引き起こすことで、第２の平板１１の一部を切断し、物品Ｍとの間に挟持された差込片２４を開放することができる。これにより、差込片２４を差込穴１５から引き抜くことなく、容易に開封することができる。
【００５９】
また、本実施形態に係る包装箱１によれば、例えば、バーコード、製造番号、賞味期限等、物品Ｍの情報を窓部Ｗに位置させることができる。これにより、包装箱１を開封することなく窓部Ｗを介して物品Ｍの情報を顧客に提示することができる。
【００６０】
また、本実施形態に係る包装箱１では、第２の平板１１の左右方向（流れ方向）の両端に突設された一対の位置決め凸部１８が、収容空間Ｓの両端面を閉塞した一対の端板２０，２１の直線辺Ｅ１に係合し、一対の端板２０，２１を位置決めする構成とした（図３Ａおよび図３Ｂ参照）。この構成によれば、端板２０，２１が適正な位置に配置され、適正に収容空間Ｓを閉塞することができる。これにより、台形断面を有する包装箱１を容易に組み立てることができる。
【００６１】
なお、本実施形態に係る包装箱１では、折畳線Ｌ５が、第２の平板１１の段方向の一方（上方の側板１３の側）に形成されていたが、本考案はこれに限定されない。例えば、折畳線Ｌ５が、第２の平板１１の段方向の他方（下方の側板１２の側）に形成されてもよい（図示せず）。この場合、第２の平板１１の段方向の他側が折畳線Ｌ５に沿って折り返されることで、折畳形態Ｆ２になる。
【００６２】
また、本実施形態に係る包装箱１では、第１の平板１０と一対の側板１２，１３とが提示面とされていたが、本考案はこれに限定されない。第１の平板１０と少なくとも上方の側板１３との表面が提示面とされていればよい。また、第１の平板１０および側板１２，１３に加え、端板２０，２１や積層片２２，２３が提示面とされてもよい。
【００６３】
また、本実施形態に係る包装箱１では、差込片２４，２５が差込穴１５，１６に差し込まれることで封緘されていたが、本考案はこれに限定されない。例えば、差込片２４，２５や差込穴１５，１６が省略され、積層片２２，２３が接着剤や粘着テープ等を介して第２の平板１１に固定されてもよい（図示せず）。また、差込片２４，２５等に加えて、積層片２２，２３も省略され、端板２０，２１が粘着テープ等を介して第２の平板１１に固定されてもよい（図示せず）。積層片２２，２３等が省略された場合、端板２０，２１は第２の平板１１に連設されてもよい（図示せず）。さらに、差込片２４，２５等、積層片２２，２３および端板２０，２１が省略され、包装箱１が収容空間Ｓの両端を開口させた台形断面を有する角筒状に形成されてもよい。この場合、物品Ｍが脱落しないように粘着テープ等で収容空間Ｓの両端面を閉じることが好ましい（図示せず）。また、内片２６，２７が省略されてもよい（図示せず）。
【００６４】
また、本実施形態に係る包装箱１では、一対の開封線１７が形成されていたが、これに限らず、例えば、開封線１７は１つであってもよい（図示せず）。また、開封線１７は、流れ方向の一方（図２で左側）に形成されていたが、これに限らず、流れ方向の他方（図２で右側）に形成されてもよいし、流れ方向の両側に形成されてもよい（図示せず）。この場合、差込穴１６にも指掛け穴１５Ａを形成することが好ましい。また、指掛け穴１５Ａや凹部１６Ａが省略されてもよい（図示せず）。
【００６５】
また、本実施形態に係る包装箱１では、一対の位置決め凸部１８や掛合片１９が第２の平板１１に形成されていたが、これらは省略されてもよい（図示せず）。また、窓部Ｗが端板２１に穿設されていたが、これに限らず、窓部Ｗは、一対の端板２０，２１の少なくとも一方に穿設されていればよい。また、窓部Ｗは省略されてもよい（図示せず）。
【００６６】
また、本実施形態に係る包装箱１は、透明な粘着テープで商品ケース９０の側面９４Ａに取り付けられていたが、本考案はこれに限定されない。例えば、包装箱１は、接着剤や両面テープ等を介して商品ケース９０の側面９４Ａに取り付けられてもよい（図示せず）。また、包装箱１は、側面壁９２の外面に取り付けられてもよい（図示せず）。
【００６７】
また、本実施形態に係る包装箱１は、紙製の両面段ボールシートで形成されていたが、本考案はこれに限定されない。包装箱１は、片面段ボール、複両面段ボール、複々両面段ボール等で形成されてもよいし、厚紙や樹脂製の板（シート）等で形成されていてもよい。また、包装箱１の各部の寸法（幅、奥行き、高さ）や形状、段ボールシートの厚みや中しん９Ａが延びる方向等は自由に変更してもよい。
【００６８】
なお、上記実施形態の説明は、本考案に係る包装箱およびブランクにおける一態様を示すものであって、本考案の技術範囲は、上記実施形態に限定されるものではない。本考案の技術範囲は、上記実施形態に限定されるものではない。本考案は技術的思想の趣旨を逸脱しない範囲において様々に変更、置換、変形されてもよく、実用新案登録請求の範囲は技術的思想の範囲内に含まれ得る全ての実施態様を含んでいる。
【符号の説明】
【００６９】
１      包装箱
１Ａ    ブランク
１０    第１の平板
１１    第２の平板
１２，１３  側板
１４    継代片
１５，１６  差込穴
１７    開封線
１８    位置決め凸部
２０，２１  端板
２２，２３  積層片
２４，２５  差込片
９０    商品ケース
９４Ａ  側面
Ｅ１    直線辺
Ｅ２    傾斜辺
Ｆ１    使用形態
Ｆ２    折畳形態
Ｈ      所定寸法
Ｌ１    第１折曲線
Ｌ５    折畳線
Ｍ      物品
Ｓ      収容空間
Ｗ      窓部
【図１】
0003232589.tif 000003
【図２】
0003232589.tif 000004
【図３Ａ】
0003232589.tif 000005
【図３Ｂ】
0003232589.tif 000006
【図４】
0003232589.tif 000007
【図５】
0003232589.tif 000008
【図６】
0003232589.tif 000009
【図７】
0003232589.tif 000010
【図８Ａ】
0003232589.tif 000011
【図８Ｂ】
0003232589.tif 000012
【図９】
0003232589.tif 000013
【図１０】
0003232589.tif 000014